(57)【要約】  抽出用カプセル（１）は、底面（４）および第１側面（３）によって画定される、プラスチック材料からなるカップ形状ボディ（２）と、カップ形状ボディ（２）を閉止するように配置された、プラスチック材料からなる蓋（５）と、第１側面（３）の内側面に画定され、その上に蓋（５）の周縁部が固定される環状ショルダ（８）とを有する。ボディ（２）の第１側面（３）は上部環状エッジ（１２）を有し、当該上部環状エッジ（１２）は、第１側面（３）と一体的に上方に延伸する第１環状部（１３）と、実質的に水平面に画定される、第１環状部（１３）から延伸する第２環状部（１４）と、実質的に水平面に画定される、第２環状部（１４）から延伸する第３環状部（１５）と、第１環状部（１３）の外側面とともに環状シート（１７）を画成するように、第２環状部（１４）の下側面から下方に延伸する環状突起部（１６）であって、環状シートは、パーコレーションチャンバの第２側面（２３）の上端部と係合する、環状突起部（１６）と、断面形状が下に向かって凹んだアーチ形の、第２および第３環状部（１４，１５）を結合する結合リング（１８）とにより画定される。
2015510785.tif 000002
【特許請求の範囲】
【請求項１】
底面（４）および第１側面（３）によって画定される、プラスチック材料からなるカップ形状ボディ（２）と、
前記カップ形状ボディ（２）を閉止するように配置された、プラスチック材料からなる蓋（５）と、
前記第１側面（３）の内側面に画定され、その上に前記蓋（５）の周縁部が固定される環状ショルダ（８）と、
を備え、
前記第１側面（３）は上部環状エッジ（１２）を有し、当該上部環状エッジ（１２）は、
前記第１側面（３）と一体的に上方に延伸する第１環状部（１３）と、
実質的に水平面に画定される、前記第１環状部（１３）から延伸する第２環状部（１４）と、
実質的に水平面に画定される、前記第２環状部（１４）から延伸する第３環状部（１５）と、
前記第１環状部（１３）の外側面とともに環状シート（１７）を画定するように、前記第２環状部（１４）の下側面から下方に延伸する環状突起部（１６）であって、前記環状シートは、パーコレーションチャンバの第２側面（２３）の上端部と係合する、環状突起部（１６）と、
断面形状が下に向かって凹んだアーチ形の、前記第２および第３環状部（１４，１５）を結合する結合リング（１８）と
を有する、ことを特徴とする抽出用カプセル（１）。
【請求項２】
前記結合リング（１８）の上面は、待機位置において前記第２環状部（１４）の上面より高いレベルに位置し、使用中はプレート（２４）の圧力に従って、前記パーコレーションチャンバは前記第２環状部（１４）の前記上面と実質的に同じレベルに達する、ことを特徴とする請求項１に記載のカプセル。
【請求項３】
前記環状突起部（１６）の断面の厚みは、下側に向かって減少する、ことを特徴とする請求項１または２に記載のカプセル。
【請求項４】
前記第３環状部（１５）は待機位置において、前記第２環状部（１４）の前記上面と前記結合リング（１８）の上面との間の中間レベルに位置する上面を有し、前記第３環状部（１５）の断面の厚みは前記結合リング（１８）から徐々に増加していく、ことを特徴とする請求項１から３のいずれか一項に記載のカプセル。
【請求項５】
前記第３環状部（１５）の上面には、複数の径方向の切れ目（２１）が設けられている、ことを特徴とする請求項４に記載のカプセル。
【請求項６】
前記上部環状エッジ（１２）は、前記カップ形状ボディ（２）とともに一体成形される、ことを特徴とする請求項１から５のいずれか一項に記載のカプセル。
【請求項７】
前記上部環状エッジ（１２）は、弾性変形プラスチック材料から形成されている、ことを特徴とする請求項６に記載のカプセル。
【請求項８】
前記第１側面（３）の前記内側面には一体成形された補強リブ（２５）が設けられ、前記補強リブ（２５）は前記底面（４）まで延伸する、ことを特徴とする請求項１から７のいずれか一項に記載のカプセル。
【発明の詳細な説明】
【技術分野】
【０００１】
本願発明は、例えば、コーヒー、大麦、粉ミルク、茶葉、カモミール茶葉などの顆粒、粉末または葉製品の抽出用カプセルに関する。
【背景技術】
【０００２】
概して、抽出用カプセルは、内部に抽出用製品が収容されるプラスチック製のカップと、カップを閉じるように設けられたプラスチック製の蓋を有する。蓋の周辺エッジは、振動によって蝋付けを実行する周知の超音波式装置等によってカップの上部エッジに蝋付けされる。カプセルが飲料用マシンのパーコレーションチャンバ内部に装着されると、温水が加圧されて射出され、蓋に空けられた少なくともひとつの穴を通過してカップの内部の抽出用製品と混合される。その後、カップの底部に空けられた少なくともひとつの穴を通じて飲料水がカップから流れ出る。あるパーコレータマシンでは、温水がカップの底に空けられた穴を通じて進入し、蓋に空けられた穴を通じて出て行くように、カプセルが形成されている。
【０００３】
上記カプセルは複数の欠点を有する。特に、パーコレーション中に、カップの上端部はパーコレーションチャンバを画定する上部ボディと下部ボディとの間で圧縮される。この圧力にかかわらず、パーコレーションチャンバは完全な水分シールを保証しない。したがって、射出水の一部が、その間でカップの上部エッジを押圧するパーコレーションチャンバの２つのボディの間に画定された空間を通じて、パーコレーションチャンバの外部に漏れる。水分シールを改善するために、ある製造業者は、カップのエッジの上部面および／または下部面に糊付けされる異なる材料からなる層を使用する。
【発明の概要】
【発明が解決しようとする課題】
【０００４】
本願発明の目的は、上記欠点を有さず、パーコレーションステップの最中にパーコレーションチャンバの正しくかつ効果的な水分シールを可能にする特別形状を有するカップの上部エッジおよび蓋を備えた、顆粒、粉末または茶葉の抽出用のカプセルを提供することである。
【課題を解決するための手段】
【０００５】
本願発明に従い、抽出用カプセルが与えられる。当該抽出用カプセルは、底面および第１側面によって画定される、プラスチック材料からなるカップ形状ボディと、カップ形状ボディを閉止するように配置された、プラスチック材料からなる蓋と、第１側面の内側面に画定され、その上に蓋の周縁部が固定される環状ショルダとを有し、第１側面は上部環状エッジを有し、当該上部環状エッジは、第１側面と一体的に上方に延伸する第１環状部と、実質的に水平面に画定される、第１環状部から延伸する第２環状部と、実質的に水平面に画定される、第２環状部から延伸する第３環状部と、第１環状部の外側面とともに環状シートを画定するように、第２環状部の下側面から下方に延伸する環状突起部であって、環状シートは、パーコレーションチャンバの第２側面の上端部と係合する、環状突起部と、断面形状が下に向かって凹んだアーチ形の、第２および第３環状部を結合する結合リングとを有する。
【０００６】
本願発明をより理解するべく、以下に添付する図面を参照して実施形態が説明される。しかし、本願発明はこれらの実施形態に限定されない。
【図面の簡単な説明】
【０００７】
【図１】図１は、本願発明の原理に従って製造されたカプセルのカップ形状ボディの平面図である。
【図２】図２は、図１のＩＩ−ＩＩ線断面図を示す。
【図３】図３は、図２に示すカップ形状ボディの部分拡大図であり、パーコレーションチャンバのエレメントを示す図である。
【図４】図４は、パーコレーションチャンバのエレメントによって圧力が印加されている状態の図３に示す部分を示す図である。
【発明を実施するための形態】
【０００８】
本願発明に従う抽出用カプセルの好適実施形態を、図１および図２において符号１で示す。カプセル１は、パーコレーションチャンバ内に装着可能であり、抽出物を収容するのに適している。カプセル１はプラスチック材料から一体的に形成された、側面３および底面４によって画定されかつわずかに円錐台形状を有するカップ形状ボディ２を含む。カプセル１はさらに、インターロックにより固定されるか、または、カップ形状ボディ２の上部に蝋付けにより固定されたプラスチック材料からなる蓋５（図２では点線で示す）を含む。図示した実施形態において、蓋５および底面４はそれぞれ穴６および７を有する。その穴を通じて、温水が進入し、飲料水がカップ形状ボディ２から抽出される。蓋５および底面４は、穴６、７ではなく、水圧によってそれぞれの穴を開放するのに適したいくつかのバルブを有してもよい。または、蓋５および底面４は、上述した穴を作成するためのパーコレーションチャンバ内に存在する適当な手段により穴開けされてもよい。
【０００９】
側面３は上端部において蓋５の周縁部に当接する内側ショルダ８を有する。また、いくつかの突起部１１がショルダ８から上方に伸長する。使用する際、蓋５は超音波によって材料を液化するのに適した超音波を生成するための既知の装置によってショルダ８に蝋付けされる。超音波は、特に、突起部１１を形成する材料を液化する。周知のように、これらの振動は下側領域の温度上昇をもたらし、プラスチック材料が成形される。結果として、蓋５はショルダ８に蝋付けされる。
【００１０】
図３および４を参照して、ショルダ８の上方で、カップ形状ボディ２は弾性変形プラスチック材料から形成された環状エッジ１２を有し、第１環状部分１３は側面３と一体的に上方に延伸し、第２環状部分１４は実質的に水平面上に画定され、第３環状部分１５は実質的に水平面上に画定される。第１環状部分１３の内側面はショルダ８とともに環状シートを画定する。蓋５の周縁部が環状シート上に固定される。環状突起部１６は第２環状部分１４の下側面から下側に延伸し、環状突起部１６は第１環状部分１３の外側面とともに下方に開いた環状シートを画定し、環状突起部１６は厚みが下に向かって減少する断面を有する。結合リング１８は第１環状部分１３と第３環状部分１５との間に配置される。リング１８はアーチ形の断面を有し、下方向に向かって凹面である。また、リング１８の上面は第２環状部分１４の上面と比べてより高いレベルに配置されている。第３環状部分１５は、第２環状部分１４の上面とリング８の上面との間の中間レベルに位置する上面を有する。さらに、第３環状部分１５はリング１８から始まって徐々に増加する厚みを有する。図１に示すように、第３環状部分１５に沿って均等に分布した複数の径方向の切れ目２１が第３環状部分１５の上面に設けられている。
【００１１】
図３および図４を参照して、パーコレーションチャンバは、図示しないベース壁（穴開けに適した）、平坦でかつ水平面である上端部を有する側面２３によって画定される。側面２３の上端部は、第２環状部分１４の下側面に対向して当接するシート１７と係合する。パーコレーションチャンバは、図３に示す待機位置と、図４に示す動作位置との間で移動する上部プレート２４（穴開けに適した）を有する。待機位置から動作位置まで通過するプレート２４はカップ形状ボディ２の環状エッジ１２を面２３の上端部に押しつける。使用の際、プレート２４はまずリング１８の上面と接触し、その後、第２環状部分１４の上面と接触する。プレート２４の下方移動中に、リング１８は変形され、その上面は実質的に平坦となり、第２環状部分１４の上面と同一面となる。突起部１６の下端が側面２３の下側面に当接するまで、リング１８は実質的に側面２３の方向への突起部１６の回転を決定するヒンジとして作用する。動作位置において、プレート２４は第２環状部分１４およびリング１８の上面と当接し、第３環状部分１５は側面２３の方向に回転する。図４を参照して、プレート２４が第２環状部分１４およびリング１８の上面ときつく当接される様子がわかる。また、突起部１６の下側端部も側面２３の外側面ときつく当接する。したがって、プレート２４によって環状エッジ１２に対して側面２３の方向に与えられる圧力は、有効な水分シールを作成することがわかる。有効な水分シールによって、カプセル１の内側からパーコレーションチャンバの内側および外側へ流体のリークが防止される。
【００１２】
最後に、図１および図２を参照して、複数のリブ２５が側面３の内側面上で一体的に形成される。当該リブは底面４まで実質的に延伸し、プレート２４が動作位置まで移動中に変形しないように側面３を実質的に補強する。好適には、カップ形状ボディおよび／または蓋５はＰＥＴおよび／またはＰＰから作成される。それらは、周知のポリオレフィンの集合に属するプラスチック材料である。また、カプセル１は好適に環境分解性プラスチック材料から作成される。それは周知の物質に適当な添加されたプラスチック材料として形成されるか、代替的に、カプセル１を環境分解性にするバイオポリマーを使って作成される。
【００１３】
上記したカプセル１は多くの利点を有する。特に、カップ形状ボディの側面の上部環状エッジはパーコレーションチャンバの外側への液体の漏れを完全に防止するように形成されている。この有効な水分シールはカップ形状ボディとこの環状エッジを一体成形することにより得られる。従来のカプセルは異なる材料の層がエッジで糊付けされており、コストが高い。
【００１４】
また、この特定の形状により、水分シールの最適なメンテナンスが実現可能となる。したがって注入マシンのパーコレーションチャンバが高温となった場合でも、カプセルの供給性能および安全性が維持される。
【図１】
2015510785.tif 000003
【図２】
2015510785.tif 000004
【図３】
2015510785.tif 000005
【図４】
2015510785.tif 000006
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
底面および第１側面によって画定される、プラスチック材料からなるカップ形状ボディと、
前記カップ形状ボディを閉止するように配置された、プラスチック材料からなる蓋と、
前記第１側面の内側面に画定され、その上に前記蓋の周縁部が固定される環状ショルダと、
を備え、
前記第１側面は上部環状エッジを有し、当該上部環状エッジは、
前記第１側面と一体的に上方に延伸する第１環状部と、
実質的に水平面に画定される、前記第１環状部から延伸する第２環状部と、
実質的に水平面に画定される、前記第２環状部から延伸する第３環状部と、
前記第１環状部の外側面とともに環状シートを画定するように、前記第２環状部の下側面から下方に延伸する環状突起部であって、前記環状シートは、パーコレーションチャンバの第２側面の上端部と係合する、環状突起部と、
断面形状が下に向かって凹んだアーチ形の、前記第２および第３環状部を結合する結合リングと
を有する、ことを特徴とする抽出用カプセル。
【請求項２】
前記結合リングの上面は、待機位置において前記第２環状部の上面より高いレベルに位置し、使用中はプレートの圧力に従って、前記パーコレーションチャンバは前記第２環状部の前記上面と同じレベルに達する、ことを特徴とする請求項１に記載のカプセル。
【請求項３】
前記環状突起部の断面の厚みは、下側に向かって減少する、ことを特徴とする請求項１または２に記載のカプセル。
【請求項４】
前記第３環状部は待機位置において、前記第２環状部の前記上面と前記結合リングの上面との間の中間レベルに位置する上面を有し、前記第３環状部の断面の厚みは前記結合リングから始まって徐々に増加する、ことを特徴とする請求項１から３のいずれか一項に記載のカプセル。
【請求項５】
前記第３環状部の上面には、複数の径方向の切れ目が設けられている、ことを特徴とする請求項４に記載のカプセル。
【請求項６】
前記上部環状エッジは、前記カップ形状ボディとともに一体成形される、ことを特徴とする請求項１から５のいずれか一項に記載のカプセル。
【請求項７】
前記上部環状エッジは、弾性変形プラスチック材料から形成されている、ことを特徴とする請求項６に記載のカプセル。
【請求項８】
前記第１側面の前記内側面には一体成形された補強リブが設けられ、前記補強リブは前記底面まで延伸する、ことを特徴とする請求項１から７のいずれか一項に記載のカプセル。
【国際調査報告】
2015510785.tif 000007
2015510785.tif 000008